(57)【要約】【課題】  画像処理連結システムにおける「再利用性の向上」と「シンプルなシステム構成」の実現。【解決手段】  原稿を読取り電子化した画像データを得る画像読取り装置と、転写紙に画像データを印字する画像書込み装置と、画像データおよび画像データの付帯情報を蓄積するメモリ装置と、外部装置と画像データを送受する外部Ｉ／Ｆ装置と、前記画像読取り装置からの画像データを処理する画像データ処理装置１と、前記メモリ装置からの画像データを処理する画像データ処理装置２と、上記各装置を接続するバス制御装置とを備え、前記第１の画像処理装置として、前記画像データ処理装置１による処理を行って前記第２の画像処理装置群へ送信する画像データと共に種々の付帯情報をも送信することを特徴とする。【選択図】    図２
2007082060.tif 000002
【特許請求の範囲】
【請求項１】
何らかの通信手段を介して接続される第１の画像処理装置と第２の画像処理装置群の間で通信される画像データを処理する画像処理連結システムにおいて前記第１または第２の画像処理装置として使用される画像処理装置であって、
原稿を読取り電子化した画像データを得る画像読取り装置と、
転写紙に画像データを印字する画像書込み装置と、
画像データおよび画像データの付帯情報を蓄積するメモリ装置と、
外部装置と画像データを送受する外部Ｉ／Ｆ装置と、
前記画像読取り装置からの画像データを処理する画像データ処理装置１と、
前記メモリ装置からの画像データを処理する画像データ処理装置２と、
上記各装置を接続するバス制御装置とを備え、
前記第１の画像処理装置として、前記画像データ処理装置１による処理を行って前記第２の画像処理装置群へ送信する画像データと共に種々の付帯情報をも送信することを特徴とする画像処理装置。
【請求項２】
何らかの通信手段を介して接続される第１の画像処理装置と第２の画像処理装置群の間で通信される画像データを処理する画像処理連結システムにおいて前記第１または第２の画像処理装置として使用される画像処理装置であって、
原稿を読取り電子化した画像データを得る画像読取り装置と、
転写紙に画像データを印字する画像書込み装置と、
画像データおよび画像データの付帯情報を蓄積するメモリ装置と、
外部装置と画像データを送受する外部Ｉ／Ｆ装置と、
前記画像読取り装置からの画像データを処理する画像データ処理装置１と、
前記メモリ装置からの画像データを処理する画像データ処理装置２と、
上記各装置を接続するバス制御装置とを備え、
前記第２の画像処理装置として、前記請求項１に記載の前記第１の画像処理装置として画像処理装置から画像データ及び種々の付帯情報を受信し、その受信した画像データに対してその受信した付帯情報に基づいて前記画像データ処理装置２で処理を行うことを特徴とする画像処理装置。
【請求項３】
何らかの通信手段を介して接続される第１の画像処理装置と第２の画像処理装置群の間で通信される画像データを処理する画像処理連結システムであって、
前記第１の画像処理装置は、請求項１に記載の画像処理装置である一方、前記第２の画像処理装置は請求項２に記載の画像処理装置であり、
請求項１記載の画像処理装置においてユーザーが読み取った原稿の画像データをメモリ装置に保存し、それを再利用する場合、
請求項１記載の画像処理装置では、
前記画像データ処理装置１によって、再利用する際に色数の設定変更が可能となるように画像データの色の性質を統一する処理を行うと共にその処理した画像データ及び再利用時に指定された色数を付帯情報として請求項２記載の画像処理装置群へ送信する一方、
請求項２記載の画像処理装置では、
請求項１記載の画像処理装置からの画像データ及び再利用時に指定された色数を付帯情報として受信し、画像データ処理装置２によって、その付帯情報に応じた色数に画像データを変換する処理を行うことを特徴とする画像処理連結システム。
【請求項４】
何らかの通信手段を介して接続される第１の画像処理装置と第２の画像処理装置群の間で通信される画像データを処理する画像処理連結システムであって、
前記第１の画像処理装置は、請求項１に記載の画像処理装置である一方、前記第２の画像処理装置は請求項２に記載の画像処理装置であり、
請求項１記載の画像処理装置においてユーザーが読み取った原稿の画像データをメモリ装置に保存し、それを再利用する場合、
請求項１記載の画像処理装置では、
前記画像データ処理装置１によって、再利用する際にサイズの設定変更が可能となるように画像データのサイズを統一する処理を行うと共にその処理した画像データ及び再利用時に指定されたサイズを付帯情報として請求項２記載の画像処理装置群へ送信する一方、
請求項２記載の画像処理装置では、
請求項１記載の画像処理装置からの画像データ及び再利用時に指定されたサイズを付帯情報として受信し、画像データ処理装置２によって、その付帯情報による再利用時のサイズの指定に従って画像データの性質を変換することを特徴とする画像処理連結システム。
【請求項５】
何らかの通信手段を介して接続される第１の画像処理装置と第２の画像処理装置群の間で通信される画像データを処理する画像処理連結システムであって、
前記第１の画像処理装置は、請求項１に記載の画像処理装置である一方、前記第２の画像処理装置は請求項２に記載の画像処理装置であり、
請求項１記載の画像処理装置においてユーザーが読み取った原稿の画像データをメモリ装置に保存し、それを再利用しない場合、
請求項１記載の画像処理装置では、前記画像データ処理装置１によって、出力時の色数の指定に応じて画像データの色の性質を変換する処理を行うと共にその処理した画像データ及び出力時の色数に変換済みである旨の付帯情報を請求項２記載の画像処理装置群へ送信する一方、
請求項２記載の画像処理装置では、
請求項１記載の画像処理装置からの画像データに付帯して出力時の色数に変換済みである旨の付帯情報を受信した場合、画像データ処理装置２によって、色数変換の処理を行わないことを特徴とする画像処理連結システム。
【請求項６】
何らかの通信手段を介して接続される第１の画像処理装置と第２の画像処理装置群の間で通信される画像データを処理する画像処理連結システムであって、
前記第１の画像処理装置は、請求項１に記載の画像処理装置である一方、前記第２の画像処理装置は請求項２に記載の画像処理装置であり、
請求項１記載の画像処理装置においてユーザーが読み取った原稿の画像データをメモリ装置に保存し、それを再利用しない場合、
請求項１記載の画像処理装置では、
前記画像データ処理装置１によって、出力時のサイズの指定に従って画像データの性質を変換する処理を行うと共にその処理した画像データ及び出力時のサイズに変換済みである旨の付帯情報を請求項２記載の画像処理装置群へ送信する一方、
請求項２記載の画像処理装置では、
請求項１記載の画像処理装置からの画像データに付帯して出力時のサイズに変換済みである旨の付帯情報を受信した場合、画像データ処理装置２によって、サイズ変換の処理を行わないことを特徴とする画像処理連結システム。
【発明の詳細な説明】
【技術分野】
【０００１】
ネットワークを介して接続される複数の画像処理装置の間で通信される画像データを処理する画像処理連結システムや該システムで使用される画像処理装置に関するものである。
【背景技術】
【０００２】
特許文献１に見られるように、ある画像処理装置が、１台以上の他の画像処理装置と通信手段を介して接続されており、前者の画像処理装置で読み取った画像データを前者と後者の画像処理装置の両方で印刷すること（連結コピー）により、コピーの生産性を高められるようにした画像処理連結システムが知られている。
【０００３】
近年の画像処理連結システムにおいては、両面複写、ソート、ステープルなどといった多機能化も提案されている。
【０００４】
さらに、特許文献２においては、ユーザの使用状況や動作上の優先順位を考慮して、生産性をより向上させる工夫がなされた画像処理連結システムも提案されている。
【特許文献１】特開平5-304575号公報
【特許文献２】特開2001-169032号公報
【発明の開示】
【発明が解決しようとする課題】
【０００５】
しかしながら、上記に代表される従来技術は、コピー生産性を向上させること、両面複写など様々な機能を利用可能にすること、などを目的にしており、本発明で提案している蓄積した画像データの再利用性を向上させる方法に関して記載されたものはない。
【０００６】
本発明は係る事情に鑑みてなされたものであり、請求項１、２においては、画像処理連結システムにおける「再利用性の向上」と「シンプルなシステム構成」の実現を目的とする。また請求項３においては、請求項１記載の画像処理装置の内部に蓄積した画像データを、蓄積・保存時のアプリや設定を変えて出力（再利用）する場合に、色に関してアプリや設定を変えることが可能として、蓄積した画像データの色に関する再利用性を著しく改善することを目的とする。請求項４においては、請求項１記載の画像処理装置の内部に蓄積した画像データを、蓄積・保存時のアプリや設定を変えて出力（再利用）する場合に、サイズに関してアプリや設定を変えることが可能として、蓄積した画像データのサイズに関する再利用性を著しく改善することを目的とする。請求項５においては、減色モード設定時には画像データのサイズが小さくなるようにして、バス制御装置におけるバスの負荷を低減し処理速度が向上するようにし、また、画像処理装置間の通信データ量（画像データサイズ）も小さくなるようにして処理速度（通信時間）も向上するようにし、ひいては、再利用しない場合には、処理速度を速くして生産性を改善することを目的とする。また、請求項６においては、サイズ縮小モード設定時には画像データのサイズが小さくなるようにして、バス制御装置におけるバスの負荷を低減させて処理速度を向上させ、また、画像処理装置間の通信データ量（画像データサイズ）も小さくなるので処理速度（通信時間）も向上させるようにし、ひいては、再利用しない場合には、処理速度を速くして生産性を改善することを目的とする。
【課題を解決するための手段】
【０００７】
請求項１に記載の画像処理装置は、何らかの通信手段を介して接続される第１の画像処理装置と第２の画像処理装置群の間で通信される画像データを処理する画像処理連結システムにおいて前記第１または第２の画像処理装置として使用される画像処理装置であって、原稿を読取り電子化した画像データを得る画像読取り装置と、転写紙に画像データを印字する画像書込み装置と、画像データおよび画像データの付帯情報を蓄積するメモリ装置と、外部装置と画像データを送受する外部Ｉ／Ｆ装置と、前記画像読取り装置からの画像データを処理する画像データ処理装置１と、前記メモリ装置からの画像データを処理する画像データ処理装置２と、上記各装置を接続するバス制御装置とを備え、前記第１の画像処理装置として、前記画像データ処理装置１による処理を行って前記第２の画像処理装置群へ送信する画像データと共に種々の付帯情報をも送信することを特徴とする。
【０００８】
請求項２に記載の画像処理装置は、何らかの通信手段を介して接続される第１の画像処理装置と第２の画像処理装置群の間で通信される画像データを処理する画像処理連結システムにおいて前記第１または第２の画像処理装置として使用される画像処理装置であって、原稿を読取り電子化した画像データを得る画像読取り装置と、転写紙に画像データを印字する画像書込み装置と、画像データおよび画像データの付帯情報を蓄積するメモリ装置と、外部装置と画像データを送受する外部Ｉ／Ｆ装置と、前記画像読取り装置からの画像データを処理する画像データ処理装置１と、前記メモリ装置からの画像データを処理する画像データ処理装置２と、上記各装置を接続するバス制御装置とを備え、前記第２の画像処理装置として、前記請求項１に記載の前記第１の画像処理装置として画像処理装置から画像データ及び種々の付帯情報を受信し、その受信した画像データに対してその受信した付帯情報に基づいて前記画像データ処理装置２で処理を行うことを特徴とする。
【０００９】
請求項３に記載の画像処理連結システムは、何らかの通信手段を介して接続される第１の画像処理装置と第２の画像処理装置群の間で通信される画像データを処理する画像処理連結システムであって、前記第１の画像処理装置は、請求項１に記載の画像処理装置である一方、前記第２の画像処理装置は請求項２に記載の画像処理装置であり、請求項１記載の画像処理装置においてユーザーが読み取った原稿の画像データをメモリ装置に保存し、それを再利用する場合、請求項１記載の画像処理装置では、前記画像データ処理装置１によって、再利用する際に色数の設定変更が可能となるように画像データの色の性質を統一する処理を行うと共にその処理した画像データ及び再利用時に指定された色数を付帯情報として請求項２記載の画像処理装置群へ送信する一方、請求項２記載の画像処理装置では、請求項１記載の画像処理装置からの画像データ及び再利用時に指定された色数を付帯情報として受信し、画像データ処理装置２によって、その付帯情報に応じた色数に画像データを変換する処理を行うことを特徴とする。
【００１０】
請求項４に記載の画像処理連結システムは、何らかの通信手段を介して接続される第１の画像処理装置と第２の画像処理装置群の間で通信される画像データを処理する画像処理連結システムであって、前記第１の画像処理装置は、請求項１に記載の画像処理装置である一方、前記第２の画像処理装置は請求項２に記載の画像処理装置であり、請求項１記載の画像処理装置においてユーザーが読み取った原稿の画像データをメモリ装置に保存し、それを再利用する場合、請求項１記載の画像処理装置では、前記画像データ処理装置１によって、再利用する際にサイズの設定変更が可能となるように画像データのサイズを統一する処理を行うと共にその処理した画像データ及び再利用時に指定されたサイズを付帯情報として請求項２記載の画像処理装置群へ送信する一方、請求項２記載の画像処理装置では、請求項１記載の画像処理装置からの画像データ及び再利用時に指定されたサイズを付帯情報として受信し、画像データ処理装置２によって、その付帯情報による再利用時のサイズの指定に従って画像データの性質を変換することを特徴とする。
【００１１】
請求項５に記載の画像処理連結システムは、何らかの通信手段を介して接続される第１の画像処理装置と第２の画像処理装置群の間で通信される画像データを処理する画像処理連結システムであって、前記第１の画像処理装置は、請求項１に記載の画像処理装置である一方、前記第２の画像処理装置は請求項２に記載の画像処理装置であり、請求項１記載の画像処理装置においてユーザーが読み取った原稿の画像データをメモリ装置に保存し、それを再利用しない場合、請求項１記載の画像処理装置では、前記画像データ処理装置１によって、出力時の色数の指定に応じて画像データの色の性質を変換する処理を行うと共にその処理した画像データ及び出力時の色数に変換済みである旨の付帯情報を請求項２記載の画像処理装置群へ送信する一方、請求項２記載の画像処理装置では、請求項１記載の画像処理装置からの画像データに付帯して出力時の色数に変換済みである旨の付帯情報を受信した場合、画像データ処理装置２によって、色数変換の処理を行わないことを特徴とする。
【００１２】
請求項６に記載の画像処理連結システムは、何らかの通信手段を介して接続される第１の画像処理装置と第２の画像処理装置群の間で通信される画像データを処理する画像処理連結システムであって、前記第１の画像処理装置は、請求項１に記載の画像処理装置である一方、前記第２の画像処理装置は請求項２に記載の画像処理装置であり、請求項１記載の画像処理装置においてユーザーが読み取った原稿の画像データをメモリ装置に保存し、それを再利用しない場合、請求項１記載の画像処理装置では、前記画像データ処理装置１によって、出力時のサイズの指定に従って画像データの性質を変換する処理を行うと共にその処理した画像データ及び出力時のサイズに変換済みである旨の付帯情報を請求項２記載の画像処理装置群へ送信する一方、請求項２記載の画像処理装置では、請求項１記載の画像処理装置からの画像データに付帯して出力時のサイズに変換済みである旨の付帯情報を受信した場合、画像データ処理装置２によって、サイズ変換の処理を行わないことを特徴とする。
【発明の効果】
【００１３】
請求項１，２に係る発明の効果としては、「再利用性の向上」が挙げられる。例えば、ユーザーが請求項１記載の画像処理装置の内部に蓄積・保存しておいた画像データを再利用する場合に、蓄積・保存するときに利用したアプリと異なるアプリに出力できたり、利用したアプリの設定と異なる設定に変更して出力することが可能となる。これにより、著しく再利用性が向上する。さらに、蓄積・保存された画像データの性質が統一されているため、異機種間（例：大型〜小型ＭＦＰの各クラス）に跨った連結においても、同様のことが可能となる。これは、異機種間の画像処理装置においても、再利用性が向上することを示す。２つ目の効果としては、「シンプルなシステム構成」が挙げられる。本画像処理連結システムのうち画像処理を担う部分にフォーカスした場合、連結機能は「請求項１記載の画像処理装置における画像データ処理装置１の処理  ＋  請求項２記載の画像処理装置における画像データ処理装置２の処理」で実現する。「請求項１記載の画像処理装置における画像データ処理装置１の処理」では、再利用性に有効な形態に”統一”する処理を行い、請求項２記載の画像処理装置における画像データ処理装置２の処理」では、それを各種出力先に応じて”（画像）処理”を行うわけだが、その際、「第１の画像処理装置における画像データ処理装置１の処理」「第２の画像処理装置における画像データ処理装置２の処理」は、両者がそれぞれ単体ＭＦＰ動作時における処理と同等の動作をする。これは、画像処理を担う部分にフォーカスして見たときには、原則、連結を特別扱いせずに、単体ＭＦＰ動作時における処理を組み合わせたシンプルなシステム構成で連結機能を実現可能とする。
【００１４】
請求項３に係る発明によれば、本画像処理装置の内部に蓄積した画像データを、蓄積・保存時のアプリや設定を変えて出力（再利用）する場合に、色に関して設定を変えることが可能となり、蓄積した画像データの色に関する再利用性を著しく改善することが可能となる。例えば、画像データ蓄積時にシングルカラー（マゼンタ）モードを設定した画像データを、連結コピー再出力時にフルカラーで出すことが可能となる。
【００１５】
請求項４に係る発明によれば、本画像処理装置の内部に蓄積した画像データを、蓄積・保存時のアプリや設定を変えて出力（再利用）する場合に、サイズに関して設定を変えることが可能となり、蓄積した画像データのサイズに関する再利用性を著しく改善することが可能となる効果が得られる。例えば、画像データ蓄積時に５０％縮小設定した画像データを、連結コピー再出力時に等倍（１００％）で出すことが可能となる。
【００１６】
請求項５に係る発明によれば、減色モード設定時には画像データのサイズが小さくなるので、マスター機内、スレーブ機内のバス制御装置におけるバスの負荷が低減するので処理速度が向上する。また、画像処理装置間の通信データ量も小さくなるので処理速度（通信時間）も向上する。また、マスター機とスレーブ機間を流れるデータ量も減少するため、通信負荷の低減と処理速度が向上される。すなわち再利用しない場合には、処理速度を速くして生産性を改善することが可能となる。例えば、画像データ蓄積時にのシングルカラー（マゼンタ）モードを設定した画像データは、マスター機の画像データ処理装置１によりＲＧＢ画像データからシングルカラー（マゼンタ）データに変換されるため、画像データが１／３になり、上記効果が得られる。
【００１７】
請求項６に係る発明によれば、サイズ縮小モード設定時には画像データのサイズが小さくなるので、マスター機内、スレーブ機内のバス制御装置におけるバスの負荷が低減するので処理速度が向上する。また、画像処理装置間の通信データ量（画像データサイズ）も小さくなるので処理速度（通信時間）も向上する。また、マスター機とスレーブ機間を流れるデータ量も減少するため、通信負荷の低減と処理速度が向上される。すなわち再利用しない場合には、処理速度を速くして生産性を改善することが可能となる。例えば、画像データ蓄積時に５０％縮小設定した画像データは、マスター機の画像データ処理装置１により画像データのサイズが５０％にデータに変換されるため、画像データが２５％になりバスの負荷が低減し、上記効果が得られる。
【発明を実施するための最良の形態】
【００１８】
以下、添付図面を参照しながら、本発明を実施するための最良の形態について説明する。
【００１９】
まず、図１に本発明の画像処理連結システムの全体構成図を示す。
【００２０】
同図において、本システムは、ユーザーが所望の操作を行う１台の画像処理装置マスター機（２０）と、その連結先である１台以上（図１の実施例では１台とした）の画像処理装置スレーブ機（２１）と、それらの画像処理装置を接続する何らかの手段（図１の実施例ではネットワーク（２２）とした）で構成される。なお、本システムを構成する画像処理装置マスター機（２０）や画像処理装置スレーブ機（２１）として適用可能な画像処理装置は後述する図２に示す構成でする（詳細後述）。
【００２１】
画像処理装置マスター機（２０）は、ユーザーが本システムを利用する際に所望の操作（設定など）を受け付ける。また、受け付けた要求に対して処理を実行し、その連結先である画像処理装置スレーブ機（２１）に対しても要求に応じた指示をする。このように本システムにおいて司令塔的な役割を担うことからマスター機と呼ぶ。（以後、マスター機と呼ぶ）
【００２２】
画像処理装置スレーブ機（２１）は、マスター機（２０）からの指示を受け付け、その内容に応じて処理を実行する。このように本システムにおいて指示を受ける側の役割を担うことからスレーブ機と呼ぶ。（以後、スレーブ機と呼ぶ）
【００２３】
なお、図１の画像処理装置マスター機（２０）は画像処理装置スレーブ機（２１）にもなり得るし、またその反対に画像処理装置スレーブ機（２１）が画像処理装置マスター機（２０）にもなり得る。
【００２４】
図２に、本システムを構成する画像処理装置の全体構成図を示す。
【００２５】
読取り装置（１）はＣＣＤ光電変換素子からなるラインセンサとＡ／Ｄコンバータとそれら駆動回路を具備し、セットされた原稿をスキャンすることで得る原稿の濃淡情報から、ＲＧＢ各８ビットの画像データを生成し出力する。
【００２６】
画像データ処理装置１（２）は、読取り装置（１）からの画像データに対し、予め定めた特性に統一する処理を施して出力する。統一する特性は画像データをＭＦＰ内部に蓄積し、その後再利用する場合に、出力先の変更に適する特性でその詳細は後述する。
【００２７】
バス制御装置（３）は、本画像処理装置内で必要な画像データや制御コマンド等各種データのやり取りを行うデータバスの制御装置で、複数種のバス規格間のブリッジ機能も有している。本実施例では、画像データ処理装置１（２），画像データ処理装置２（４），ＣＰＵ（６）とはＰＣＩ−Ｅｘｐｒｅｓｓバス，ＨＤＤとはＡＴＡバスで接続し、ＡＳＩＣ化している。
【００２８】
画像データ処理部２（４）は、画像データ処理装置１（２）で予め定めた特性を統一された画像データに対し、ユーザーから指定される出力先に適した画像処理を施し出力する。その詳細は後述する。
【００２９】
ＨＤＤ（５）は、デスクトップパソコンにも使用されている電子データを保存するための大型の記憶装置で、本画像処理装置内では主に画像データおよび画像データの付帯情報を蓄積する。また本実施例ではＩＤＥを拡張して規格化されているＡＴＡバス接続のハードディスクを使用する。
【００３０】
ＣＰＵ（６）は、本デジタル画像処理装置の制御全体を司るマイクロプロセッサである。
【００３１】
また本実施例では近年普及してきたＣＰＵコア単体に＋αの機能を追加したＩｎｔｅｇｒａｔｅｄ  ＣＰＵを使用した。本実施例ではＰＭＣ社のＲＭ１１１００で、汎用規格Ｉ／Ｆとの接続機能や、クロスバースイッチを使ったこれらバス接続機能がインテグレートされたＣＰＵを使用する。
【００３２】
メモリ（７）は、複数種のバス規格間をブリッジする際の速度差や、接続された部品自体の処理速度差を吸収するために、一時的にやりとりするデータを記憶したり、ＣＰＵが本画像処理装置の制御を行う際に、プログラムや中間処理データを一時的に記憶する揮発性メモリである。ＣＰＵには高速処理を求められるため、通常起動時にＲＯＭに記憶されたブートプログラムにてシステムを起動し、その後は高速にアクセス可能なメモリ（７）に展開されたプログラムによって処理を行う。本実施例では規格化されパーソナルコンピュータに使用されているＤＩＭＭを使用する。
【００３３】
プロッタＩ／Ｆ装置（８）は、ＣＰＵ（６）にインテグレートされた汎用規格Ｉ／Ｆ経由で送られてくるＣＭＹＫからなる画像データを受け取ると、プロッタ装置（９）の専用Ｉ／Ｆに出力するバスブリッジ処理を行う。本実施例で使用している汎用規格Ｉ／ＦはＰＣＩ−Ｅｘｐｒｅｓｓバスである。
【００３４】
プロッタ装置（９）はＣＭＹＫからなる画像データを受け取ると、レーザービームを用いた電子写真プロセスを使って、転写紙に受け取った画像データを出力する。
【００３５】
Ｓ．Ｂ．（１３）は、パーソナルコンピュータに使用されるチップセットのひとつで、Ｓｏｕｔｈ  Ｂｒｉｄｇｅと呼ばれる汎用の電子デバイスである。主にＰＣＩ−ＥｘｐｒｅｓｓとＩＳＡブリッジを含むＣＰＵシステムを構築する際によく使用されるバスのブリッジ機能を汎用回路化したもので、本実施例ではＲＯＭとの間をブリッジしている。
【００３６】
ＲＯＭ（１４）は、ＣＰＵが本デジタル画像処理装置の制御を行う際のプログラム（含むブート）が格納されるメモリである。
【００３７】
操作表示装置（１０）は、本デジタル画像処理装置とユーザーのインターフェースを行う部分で、ＬＣＤ（液晶表示装置）とキースイッチから構成され、装置の各種状態や操作方法をＬＣＤに表示し、ユーザーからのキースイッチ入力を検知する。本実施例ではＰＣＩ−Ｅｘｐｒｅｓｓバスを介してＣＰＵ（６）と接続する。
【００３８】
回線Ｉ／Ｆ装置（１１）はＰＣＩ−Ｅｘｐｒｅｓｓバスと電話回線を接続する装置で、この装置により本画像処理装置は電話回線を介して各種データのやり取りを行うことが可能になる。
【００３９】
ＦＡＸ（１５）は通常のファクシミリで、電話回線を介して本画像処理装置と画像データの授受を行う。
【００４０】
外部Ｉ／Ｆ装置（１２）はＰＣＩ−Ｅｘｐｒｅｓｓバスと外部装置を接続する装置で、この装置により本画像処理装置は外部装置と各種データのやり取りを行うことが可能になる。本実施例ではその接続Ｉ／Ｆにネットワーク（イーサネット）を使用する。すなわち本画像処理装置は外部Ｉ／Ｆ装置（１２）を介してネットワークに接続している。
【００４１】
ＰＣ（１６）はいわゆるパーソナルコンピュータで、パーソナルコンピュータにインストールされたアプリケーションソフトやドライバを介して、ユーザーは本画像処理装置に対して各種制御や画像データの入出力を行う。
【００４２】
画像処理装置（１７）は、以上説明した図２左側（装置内）の構成の画像処理装置と同一構成の画像処理装置であり、本システムの連結動作に必要となる画像処理装置間での各種制御や付帯情報、画像データの入出力を行う。
【００４３】
以上の構成の本システムにおける「連結コピー動作」について以下説明する。なお、説明の際、各部の番号がマスター機（２０）側かスレーブ機（２１）側か、を明確にするため、以下のような番号付けをする。
【００４４】
つまり、マスター機（２０）内の読取り装置（１）の場合、読取り装置（２０−１）とし、スレーブ機（２１）内の外部Ｉ／Ｆ装置（１２）の場合、外部Ｉ／Ｆ装置（２１―１２）とする。
【００４５】
さて、ユーザーはマスター機（２０）で原稿を読取り装置（２０−１）にセットし、所望するモード等の設定と連結コピー開始の入力を操作表示装置（２０−１０）に行う。
【００４６】
操作表示装置（２０−１０）はユーザーから入力された情報を、機器内部の制御コマンドデータに変換し発行する。発行された制御コマンドデータはＰＣＩ−Ｅｘｐｒｅｓｓバスを介してＣＰＵ（２０−６）に通知される。
【００４７】
ＣＰＵ（２０−６）は連結コピー開始の制御コマンドデータに従って、連結コピー動作プロセスのプログラムを実行し、連結コピー動作に必要な設定や動作を順に行っていく。以下に動作プロセスを順に記す。
【００４８】
読取り装置（２０−１）で原稿をスキャンして得られたＲＧＢ各８ビットのデジタル画像データは、画像データ処理装置１（２０−２）で予め定めた特性に統一され、バス制御装置（２０−３）に送られる。
【００４９】
バス制御装置（２０−３）は画像データ処理装置１（２０−２）からのＲＧＢ画像データを受け取ると、ＣＰＵ（２０−６）を介してメモリ（２０−７）に蓄積する。その際、ユーザーが行った所望の操作情報（付帯情報）も一緒に蓄積される。
【００５０】
ここからマスター機（２０）側の動作とスレーブ機（２１）側との連結動作に分岐するのだが、マスター機（２０）側の動作については、単体機能における動作時と同等であるため、説明は割愛する。
【００５１】
以下に、スレーブ機（２１）側との連結動作について説明する。
【００５２】
メモリ（２０−７）に蓄積されたＲＧＢ画像データ及び付帯情報は、ＣＰＵ（２０−６）を介して、マスター機（２０）側の動作と外部Ｉ／Ｆ装置（２０−１２）に送られる。
【００５３】
外部Ｉ／Ｆ装置（２０−１２）は受け取ったＲＧＢ画像データ及び付帯情報を、ネットワークを介して接続した連結先のスレーブ機（２１）に送信する。なお、連結されるスレーブ機（２１）は１台以上可能とするが、本実施例では１台とした。２台以上の場合であっても、スレーブ機（２１）の動作としては同等となるためである。
【００５４】
スレーブ機（２１）の外部Ｉ／Ｆ装置（２１−１２）はマスター機（２０）からのＲＧＢ画像データ及び付帯情報を受信して、機器内部の制御コマンドデータに変換し発行する。発行された制御コマンドデータはＰＣＩ−Ｅｘｐｒｅｓｓバスを介してＣＰＵ（２１−６）に通知される。
【００５５】
ＣＰＵ（２１−６）はスレーブ機としての連結コピー開始の制御コマンドデータに従って、連結コピー動作プロセスのプログラムを実行し、連結コピー動作に必要な設定や動作を順に行っていく。以下に動作プロセスを順に記す。
【００５６】
外部Ｉ／Ｆ装置（２１−１２）で受信されたＲＧＢ画像データ及び付帯情報はバス制御装置（２１−３）を介して、画像データ処理装置２（２１−４）に送られる。
【００５７】
画像データ処理装置２（２１−４）は受け取った付帯情報に従ってＲＧＢ画像データを、プロッタ出力用のＣＭＹＫ画像データに変換し出力する。
【００５８】
バス制御装置（２１−３）は画像データ処理装置２（２１−４）からのＣＭＹＫ画像データを受け取ると、ＣＰＵ（２１−６）を介してメモリ（２１−７）に蓄積する。
【００５９】
次にメモリ（２１−７）に蓄積されたＣＭＹＫ画像データは、ＣＰＵ（２１−６）及びプロッタＩ／Ｆ装置（２１−８）を介して、プロッタ装置（２１−９）に送られる。
【００６０】
プロッタ装置（２１−９）は受け取ったＣＭＹＫ画像データを転写紙に出力し、原稿のコピーが生成される。
【００６１】
ここで、請求項１，請求項２に係る実施列について説明する。
【００６２】
つまり、マスター機の単体機能によって原稿をスキャンした画像データをスキャナ配信し、画像処理装置内に蓄積・保存しておき、その後、マスター機とスレーブ機の連結機能によって蓄積・保存した画像データを連結コピーとして再利用する動作を説明する。
【００６３】
まず、原稿をスキャンした画像データをスキャナ配信し、画像処理装置内に蓄積・保存する単体機能の動作を説明する。
【００６４】
マスター機の単体機能は、「スキャナ配信動作＋ＨＤＤへの蓄積・保存動作」である。
【００６５】
ユーザーはマスター機（２０）で原稿を読取り装置（２０−１）にセットし、所望するモード等の設定とスキャナ配信開始の入力を操作表示装置（２０−１０）に行う。
【００６６】
操作表示装置（２０−１０）はユーザーから入力された情報を、機器内部の制御コマンドデータに変換し発行する。発行された制御コマンドデータはＰＣＩ−Ｅｘｐｒｅｓｓバスを介してＣＰＵ（２０−６）に通知される。
【００６７】
ＣＰＵ（２０−６）はスキャナ配信開始の制御コマンドデータに従って、スキャナ配信動作プロセスのプログラムを実行し、スキャナ配信動作に必要な設定や動作を順に行っていく。以下に動作プロセスを順に記す。
【００６８】
読取り装置（２０−１）で原稿をスキャンして得られたＲＧＢ各８ビットのデジタル画像データは、画像データ処理装置１（２０−２）で予め定めた特性に統一され、バス制御装置（２０−３）に送られる。
【００６９】
図３に画像データ処理装置１（２０−２）の処理ブロック図を示し、順に説明する。
【００７０】
γ変換（２０−３０）は読取り装置（２０−１）から受け取ったＲＧＢ画像データの明るさを予め定めた特性に統一する。本実施例では明度リニアな特性に変換した。
【００７１】
フィルタ処理（２０−３１）はＲＧＢ画像データの鮮鋭性を予め定めた特性に統一する。本実施例では基準チャートをスキャンしたときに、線数毎に対して予め定めたＭＴＦ特性値になるように変換した。
【００７２】
色変換（２０−３２）はＲＧＢ画像データの色を予め定めた特性に統一する。本実施例では色空間がＡｄｏｂｅ社で定義されるＡｄｏｂｅ−ＲＧＢ色空間になるように変換した。
【００７３】
変倍処理（２０−３３）はＲＧＢ画像データのサイズ（解像度）を予め定めた特性に統一する。本実施例ではサイズ（解像度）を６００ｄｐｉに変換した。
【００７４】
バス制御装置（２０−３）は画像データ処理装置１（２０−２）からのＲＧＢ画像データを受け取ると、ＣＰＵ（２０−６）を介してメモリ（２０−７）に蓄積する。
【００７５】
メモリ（２０−７）に蓄積したＲＧＢ画像データは、ＣＰＵ（２０−６）及びバス制御装置（２０−３）を介して、ＨＤＤ（２０−５）に送信され、ＨＤＤ（２０−５）内に蓄積・保存される。その際、ユーザーが行った所望の操作情報（付帯情報）も一緒に蓄積・保存される。
【００７６】
その後、前述のようにメモリ（２０−７）のＲＧＢ画像データは、画像データ処理装置２（２０−４）を介して外部Ｉ／Ｆ装置（２０−１１）に出力され、スキャナ配信が成される。
【００７７】
図４に画像データ処理装置２（２０−４）の処理ブロック図を示し、この時の動作を順に説明する。
【００７８】
フィルタ処理（２０−５０）はＲＧＢ画像データの鮮鋭性を、スキャナ配信する場合の再現性が良くなるように補正する。具体的には所望するモード情報に従って鮮鋭化／平滑化処理を施す。例えば文字モードでは文字をハッキリ／クッキリとするために鮮鋭化処理を施し、写真モードでは滑らかに階調性を表現するため平滑化処理を施す。
【００７９】
色変換（２０−５１）は、ＲＧＢ各８ビットのデータを受け取ると指定される色空間に変換する。本実施例ではスキャナ配信で一般的なｓＲＧＢ色空間に各色８ビットで変換した。
【００８０】
変倍処理（２０−５２）はｓＲＧＢ画像データのサイズ（解像度）を、指定されたスキャナ配信で送受されるサイズ（解像度）変換を行う。本実施例では主走査：２００ｄｐｉ×副走査：２００ｄｐｉに変換した。
【００８１】
階調処理（２０−５３）では、指定されたスキャナ配信で送受される階調処理能力に従った階調数変換処理を行う。本実施例ではＲＧＢ各８ｂｉｔの１６万色が指定されたものとして、階調処理は特に実施しない。
【００８２】
次にＨＤＤ（２０−５）内に蓄積・保存した画像データを連結コピーとして再利用する動作を説明する。
【００８３】
マスター機とスレーブ機の連結機能とは、「蓄積・保存した画像データを連結コピーとして再利用することである。
【００８４】
ユーザーは先ほどスキャナ配信動作させた時にＨＤＤ（２０−５）内に蓄積・保存された画像データに対し、所望するモード等の設定と連結コピー開始の入力を操作表示装置（２０−１０）に行う。
【００８５】
操作表示装置（２０−１０）はユーザーから入力された情報を、機器内部の制御コマンドデータに変換し発行する。発行された制御コマンドデータはＰＣＩ−Ｅｘｐｒｅｓｓバスを介してＣＰＵ（２０−６）に通知される。
【００８６】
ＣＰＵ（２０−６）は連結コピー開始の制御コマンドデータに従って、連結コピー動作プロセスのプログラムを実行し、連結コピー動作に必要な設定や動作を順に行っていく。以下に動作プロセスを順に記す。
【００８７】
バス制御装置（２０−３）はＨＤＤ（２０−５）内に蓄積されているＲＧＢ画像データ及び付帯情報を、ＣＰＵを介してメモリ（２０−７）に出力する。
【００８８】
ここからマスター機（２０）側の動作とスレーブ機（２１）側との連結動作に分岐するが、マスター機（２０）側の動作については、単体機能における動作時と同等であるため、説明は割愛する。
【００８９】
以下に、スレーブ機（２１）側との連結動作について説明する。
【００９０】
メモリ（２０−７）に出力された付帯情報に対してユーザから入力された情報を新たな付帯情報として追加生成するか変更してメモリ（２０−７）に出力する。
【００９１】
メモリ（２０−７）に出力されたＲＧＢ画像データ及び付帯情報は、ＣＰＵ（２０−６）を介して、マスター機（２０）側の動作と外部Ｉ／Ｆ装置（２０−１２）に送られる。
【００９２】
外部Ｉ／Ｆ装置（２０−１２）は受け取ったＲＧＢ画像データ及び付帯情報を、ネットワークを介して接続した連結先のスレーブ機（２１）に送信する。
【００９３】
スレーブ機（２１）の外部Ｉ／Ｆ装置（２１−１２）はマスター機（２０）からのＲＧＢ画像データ及び付帯情報を受信して、その付帯情報をもとに機器内部の制御コマンドデータに変換し発行する。発行された制御コマンドデータはＰＣＩ−Ｅｘｐｒｅｓｓバスを介してＣＰＵ（２１−６）に通知される。
【００９４】
ＣＰＵ（２１−６）はスレーブ機としての連結コピー開始の制御コマンドデータに従って、連結コピー動作プロセスのプログラムを実行し、連結コピー動作に必要な設定や動作を順に行っていく。以下に動作プロセスを順に記す。
【００９５】
外部Ｉ／Ｆ装置（２１−１２）で受信されたＲＧＢ画像データはバス制御装置（２１−３）を介して、画像データ処理装置２（２１−４）に送られる。
【００９６】
画像データ処理装置２（２１−４）は受け取ったＲＧＢ画像データを、プロッタ出力用のＣＭＹＫ画像データに変換し出力する。
【００９７】
バス制御装置（２１−３）は画像データ処理装置２（２１−４）からのＣＭＹＫ画像データを受け取ると、ＣＰＵ（２１−６）を介してメモリ（２１−７）に蓄積する。
【００９８】
次にメモリ（２１−７）に蓄積されたＣＭＹＫ画像データは、ＣＰＵ（２１−６）及びプロッタＩ／Ｆ装置（２１−８）を介して、プロッタ装置（２１−９）に送られる。
【００９９】
プロッタ装置（２１−９）は受け取ったＣＭＹＫ画像データを転写紙に出力し、原稿のコピーが生成される。
【０１００】
第４図に画像データ処理装置２（２１−４）の処理ブロック図を示し、この時の動作を順に説明する。
【０１０１】
フィルタ処理（２１−５０）はＲＧＢ画像データの鮮鋭性を、プロッタ装置（２１−９）に出力する場合の再現性が良くなるように補正する。具体的には所望するモード情報（付帯情報）に従って鮮鋭化／平滑化処理を施す。例えば文字モードでは文字をハッキリ／クッキリとするために鮮鋭化処理を施し、写真モードでは滑らかに階調性を表現するため平滑化処理を施す。
【０１０２】
色変換（２１−５１）は、ＲＧＢ各８ビットのデータを受け取るとプロッタ装置用の色空間であるＣＭＹＫ各８ビットに変換する。このときにユーザー所望するモード情報（付帯情報）に従って彩度もあわせて調整する。
【０１０３】
変倍処理（２１−５２）はＣＭＹＫ画像データのサイズ（解像度）を、プロッタ装置（２１−９）の再現性能に従ってサイズ（解像度）変換を行う。本実施例ではプロッタ（２１−９）の性能が６００ｄｐｉ出力であるため、特に変換は行わない。
【０１０４】
階調処理（２１−５３）では、ＣＭＹＫ各８ビットを受け取るとプロッタ装置（２１−９）の階調処理能力に従った階調数変換処理を行う。本実施例ではＣＭＹＫ各２ビットに疑似中間調処理の一つである誤差拡散法を用いて階調数変換した。
【０１０５】
このことにより本画像処理装置内に蓄積・保存したデータに対し、入力時と異なる出力先（本実施例ではアプリが異なるケースを示した。入力時：スキャナ配信、出力時：連結コピー）を所望した場合に、通常動作時（最初から出力先を指定したときの動作）と何ら画像品質が変ることなく出力先の変更が可能となっており、著しく再利用性が向上している。
【０１０６】
また、画像処理を担う部分（画像データ処理装置１（２）と画像データ処理装置２（４））にフォーカスして見たときには、原則、連結を特別扱いせずに、単体機能としての動作時における処理を組み合わせたシンプルなシステム構成で連結機能を実現可能としている。
【０１０７】
次に、請求項３に係る実施例について説明する。
【０１０８】
つまり、マスター機の単体機能によって原稿をスキャンした画像データを画像処理装置内に蓄積・保存しておき、その後、マスター機とスレーブ機の連結機能によって蓄積・保存した画像データを再利用する場合の、色データの扱いに関して動作を説明する。
【０１０９】
先ず、マスター機の単体機能によって原稿をスキャンした画像データを画像処理装置内に蓄積・保存する場合について説明する。なお、請求項１，２の本システムでは、単体機能利用時、ユーザーは色に関するモード設定が可能である。
【０１１０】
例えばコピー動作においては、カラー原稿に対しカラーで再現するカラーモード，白黒で再現するモノクロモード，シアンやマゼンタ等単色で再現するシングルカラーモード，その他指定色を別の色に変換する色変換モード等がある。
【０１１１】
マスター機の単体機能によって画像データを蓄積・保存する段階では、ユーザーが指定する色のモード設定によらず、画像データ処理装置１（２０−２）の色変換（２０−３２）は、全てＲＧＢ画像データの色を予め定めた特性に統一し、ＨＤＤ（２０−５）に蓄積・保存する。なお、本実施例では色空間がＡｄｏｂｅ社で定義されるＡｄｏｂｅ−ＲＧＢ色空間になるように変換した。また色変換の方式は既知の３次元ルックアップ方式を採用した。
【０１１２】
次に、マスター機とスレーブ機の連結機能によって蓄積・保存した画像データを再利用について説明する。なお、請求項１，２の本システムでは、連結機能利用時も、ユーザーは色に関するモード設定が可能である。
【０１１３】
例えば連結コピー動作においても、カラー原稿に対しカラーで再現するカラーモード，白黒で再現するモノクロモード，シアンやマゼンタ等単色で再現するシングルカラーモード，その他指定色を別の色に変換する色変換モード等がある。
【０１１４】
マスター機とスレーブ機の連結機能によって蓄積・保存した画像データを再利用する場合、画像データとともにユーザーが指定する色のモード設定情報を付帯情報として、マスター機からスレーブ機に送信する。
【０１１５】
スレーブ機の画像データ処理装置２（２１−４）の色変換（２１−５２）は、送信された付帯情報（色のモード情報）に従って、Ａｄｏｂｅ−ＲＧＢ：各８ビットの画像データから、指定された色へ変換を行う。本実施例での変換の方式は既知の３次元ルックアップ方式を採用した。
【０１１６】
このことにより本画像処理装置内に蓄積・保存したデータに対し、入力時の色に関する多岐に渡るモード設定に対し、再出力時にそのモード設定や出力先の変更しても、通常動作時（最初から出力先と動作モードを指定したときの動作）となんら画像品質が変ることなくモード設定の変更が可能となっており、著しく再利用性が向上している。
【０１１７】
具体例としては、マスター機の単体機能によるコピーでシングルカラー（マゼンタ）モードを設定し、画像処理装置内に蓄積・保存しておき、その後、マスター機とスレーブ機の連結機能によって蓄積・保存した画像データを連結コピーとしてフルカラーモードで再利用する場合、著しく再利用性が向上していることは明らかである。
【０１１８】
次に、請求項４に係る実施例について説明する。
【０１１９】
つまり、マスター機の単体機能によって原稿をスキャンした画像データを画像処理装置内に蓄積・保存しておき、その後、マスター機とスレーブ機の連結機能によって蓄積・保存した画像データを再利用する場合の、サイズの扱いに関して動作を説明する。
【０１２０】
先ず、マスター機の単体機能によって原稿をスキャンした画像データを画像処理装置内に蓄積・保存する場合について説明する。なお、請求項１，２の本システムでは、単体機能利用時、ユーザーはサイズに関するモード設定が可能である。
【０１２１】
例えばコピー動作においては、原稿に対し拡大・縮小等のサイズ変更のモード有する。その他にもＡ４サイズ：２枚の原稿をＡ４サイズ：１枚の転写紙に集約するモード等がある。
【０１２２】
マスター機の単体機能によって画像データを蓄積・保存する段階では、ユーザーが指定するサイズのモード設定によらず、画像データ処理装置１（２０−２）の変倍処理（２０−３３）は、全てＲＧＢ画像データのサイズを予め定めた特性に統一し、ＨＤＤ（２０−５）に蓄積・保存する。なお、本実施例では解像度：６００ｄｐｉとした。また変倍処理の方式は既知の着目位置に対して周辺画素からデジタル的に補間算出する方式を採用した。
【０１２３】
次に、マスター機とスレーブ機の連結機能によって蓄積・保存した画像データを再利用する場合について説明する。なお、請求項１，２の本システムでは、連結機能利用時も、ユーザーはサイズに関するモード設定が可能である。
【０１２４】
例えば連結コピー動作においても、原稿に対し拡大・縮小等のサイズ変更のモード有する。その他にもＡ４サイズ：２枚の原稿をＡ４サイズ：１枚の転写紙に集約するモード等がある。
【０１２５】
マスター機とスレーブ機の連結機能によって蓄積・保存した画像データを再利用する場合、画像データとともにユーザが指定するサイズのモード設定情報を付帯情報として、マスター機からスレーブ機に送信する。
【０１２６】
スレーブ機の画像データ処理装置２（２１−４）の変倍処理（２１−５２）は、送信された付帯情報（サイズのモード情報）に従って、画像データを指定されたサイズへ変換を行う。本実施例での変換の方式は既知の着目位置に対して周辺画素からデジタル的に補間算出する方式を採用した。
【０１２７】
このことにより本画像処理装置内に蓄積・保存したデータに対し、入力時のサイズに関する多岐に渡るモード設定に対し、再出力時にそのモード設定や出力先の変更しても、通常動作時（最初から出力先と動作モードを指定したときの動作）となんら画像品質が変ることなくモード設定の変更が可能となっており、著しく再利用性が向上している。
【０１２８】
具体例としては、マスター機の単体機能によるコピーで５０％縮小を設定し、画像処理装置内に蓄積・保存しておき、その後、マスター機とスレーブ機の連結機能によって蓄積・保存した画像データを連結コピーとして等倍（１００％）で再利用する場合、著しく再利用性が向上していることは明らかである。
【０１２９】
次に、請求項５に係る本実施例について説明する。
【０１３０】
つまり、マスター機とスレーブ機の連結コピー機能を利用する場合の、色の扱いに関して動作を説明する。なお、請求項１，２の本システムでは、連結コピー機能利用時、ユーザーは色に関するモード設定が可能である。
【０１３１】
例えば連結コピー動作において、カラー原稿に対しカラーで再現するカラーモード，白黒で再現するモノクロモード，シアンやマゼンタ等単色で再現するシングルカラーモード，その他指定色を別の色に変換する色変換モード等がある。
【０１３２】
マスター機でスキャンした画像データを連結コピーする場合、マスター機の画像データ処理装置１（２０−２）はＲＧＢ：各８ビットの画像データから、指定された色へ変換を行う。本実施例での変換の方式は既知の３次元ルックアップ方式を採用した。
【０１３３】
変換した画像データ及び付帯情報（色のモード情報及びモード情報に従って変換済みである旨の情報）は、マスター機からスレーブ機に送信され、スレーブ機のバス制御装置（２１−３），ＣＰＵ（２１−６），メモリ（２１−７）を介して、画像データ処理装置２（２１−４）にて処理され、指定された出力先に送出される。ただし、このとき画像データ処理装置２（２１−４）の色変換（２１−５１）は何も動作しない。
【０１３４】
このことにより本画像処理装置内に蓄積・保存しない場合は、色に関する多岐に渡るモード設定に対し、例えばシングルカラーコピー等、色数を減少させる場合、マスター機の画像データ処理装置１（２０−２）で色数が減少し、マスター機内、スレーブ機内、及びマスター機とスレーブ機間を流れるデータ量が減少するため、＜請求項３＞の蓄積・保存し再出力（再利用）する場合と何ら画像品質が変ることなく、高速に処理することが可能となり、画像処理の生産性を向上することができる。
【０１３５】
次に、請求項６に係る本実施例について説明する。
【０１３６】
つまり、マスター機とスレーブ機の連結コピー機能を利用する場合の、サイズの扱いに関して動作を説明する。なお、請求項１，２の本システムでは、連結コピー機能利用時、ユーザーはサイズに関するモード設定が可能である。
【０１３７】
例えばコピー動作においては、原稿に対し拡大・縮小等のサイズ変更のモード有する。その他にもＡ４サイズ：２枚の原稿をＡ４サイズ：１枚の転写紙に集約するモード等がある。
【０１３８】
マスター機でスキャンした画像データを連結コピーする場合、マスター機の画像データ処理装置１（２０−２）の変倍処理（２０−３３）は、画像データを指定されたサイズへ変換する。本実施例での変換の方式は既知の３次元ルックアップ方式を採用した。
【０１３９】
変換した画像データ及び付帯情報（サイズのモード情報及びモード情報に従って変換済みである旨の情報）は、マスター機からスレーブ機に送信され、スレーブ機のバス制御装置（２１−３），ＣＰＵ（２１−６），メモリ（２１−７）を介して、画像データ処理装置２（２１−４）にて処理され、指定された出力先に送出される。ただし、このとき画像データ処理装置２（２１−４）の変倍処理（２１−５２）は何も動作しない。
【０１４０】
このことにより本画像処理装置内に蓄積・保存しない場合は、サイズに関する多岐に渡るモード設定に対し、例えば縮小コピー等、サイズを減少させる場合、マスター機の画像データ処理装置１（２０−２）でサイズが減少し、マスター機内、スレーブ機内、及びマスター機とスレーブ機間を流れるデータ量が減少するため、＜請求項４＞の蓄積・保存し再出力（再利用）する場合と何ら画像品質が変ることなく、高速に処理することが可能となり、画像処理の生産性を向上することができる。
【０１４１】
なお、以上本発明を実施するための最良の形態について説明したが、本発明は上記のものに限定されるものではなく、その要旨を逸脱しない範囲で種々変更可能であることはいうまでもない。
【図面の簡単な説明】
【０１４２】
【図１】本発明を実施するための最良の形態に係る画像処理連結システムの構成について示す図である。
【図２】図１の画像処理連結システムを構成する画像処理装置のブロック構成等について示す図である。
【図３】画像処理装置１の具体的な構成について示す図である。
【図４】画像処理装置２の具体的な構成について示す図である。
【符号の説明】
【０１４３】
２０  画像処理装置マスター機
２１  画像処理装置スレーブ機
２２  ネットワーク
【図１】
2007082060.tif 000003
【図２】
2007082060.tif 000004
【図３】
2007082060.tif 000005
【図４】
2007082060.tif 000006